Podtech/llm-jp-corpus-v4-ja_patent huggingface dataset:
(57)【要約】〔課題〕たたきたい所を無理なく、あらゆる部分をたたき易いように、ボールを布で包んでグリップを取り付けた、フリーハンド肩たたきを提供する。〔解決手段〕丸いボールを（１）布で包み（２）ひもで固定し（３）同じ布でグリップを（４）取り付け、グリップの先端に引っ掛け用のループ（５）を取り付けたことを特徴とする。【選択図】図１
2005058721.tif 000002
【特許請求の範囲】
【請求項１】
小さめのボールを（１）布で包み（２）ひもで絞って固定し（３）同じ布で棒状にしたグリップを取り付け（４）グリップの先端に引っ掛け用のループ（５）を取りつけたフリーハンド肩たたき。
【発明の詳細な説明】
【発明の詳細的な説明】
この発明は、ボールを布で包み、握る部分を布にした事により、たたきたい箇所を手首を少し動かすだけで、振り子のようにボールが動くので、たたき易くなるものである。〔応用例〕人の肩をたたく場合に後ろから両手に持ってたたくと、自分の手も痛くなくて良かった。携帯にも適している。〔発明の属する技術分野〕
【０００１】この発明は、ボールを布で包み、固く絞って固定し、同じ布をグリップ状に縫い合わせたフリーハンド肩たたきに関するものである。〔従来の技術〕
【０００２】従来は長い棒の先に、丸いボールがついていたので、すぐに手が疲れてしまい不便であった。背中をたたきたい時は特に手が疲れ、足の裏は角度が調節出来ず、不便であった。〔発明が解決しようとする課題〕
【０００３】これには次のような欠点があった。従来の肩たたき棒は長い棒の先をもって、腕の調節で動かさないとボールがたたきたい所にあたらないので、負担になる上、更に手首を動かすとなると、背中のコリ部分には殆ど届きずらく困る事が多かった。強弱の調整が出来ず不快であった。足の裏をたたく場合は固い感触だけが残り、すぐ手が疲れてしまうので不快であった。発明は以上のような欠点をなくすためになされたものである。〔課題を解決する為の手段〕
【０００４】丸いボール（１）を布で包み（２）ひもで固定し（３）、同じ布でグリップを取り付け（４）グリップの先端に引っ掛け用のループを取り付ける（５）。本発明は以上の構成よりなる、フリーハンド肩たたきである。全体が布なので、感触がソフトで弾力性があり、強弱も自由に調節出来る。ボールもわずかの手首運動で振り子のように弾むので手や腕が疲れない。〔発明の実施の形態〕
【０００５】以下、本発明の実施の形態について説明する。丸いボールを（１）布で包み（２）ひもで固定して（３）同じ布でグリップを取り付け（４）グリップの先端に引っ掛け用のループ（５）を取り付ける。本発明は以上のような構造で、これを使用する時は、グリップを握って、たたけばよい。〔発明の効果〕
【０００６】全体が布で覆われているのと、グリップも布なので、弾力性があり、感触がソフトであり、適当な長さのグリップは握り易く、わずかの手首運動でボールは強くも弱くも調節しながら振り子のようにたたくので、コミュニケーションの助けにも効果がある。
【図面の簡単な説明】
【図１】本発明の全体図である
【図２】本発明の断面図である
【符号の説明】
（１）ボール（２）布（３）ひも（４）グリップ（５）ループ
【図１】
2005058721.tif 000003
【図２】
2005058721.tif 000004
(57)【要約】【目的】この発明は本装置の処理箱１を二つの部屋に使用出来るように発明したもので小物入に棚２を作り、その床下に潜る可動板３の裏面にコマ５を取付けてレール６と嵌め合せて汚物入容器４を取付けた可動板３を水平に操作出来るようにしたものである。【構造】本体の構成は小物入と汚物入の出来る処理箱１を備いているので市販にはあまり見受けない進歩の装置である。【選択図】図１
2005058727.tif 000002
【特許請求の範囲】
【請求項１】
この発明は一般家庭の流台に側付して用いる処理箱１で小物用に棚２を作り、その床下に潜る可動板３に汚物入容器４を取付けて裏面にコマ５を取付けレール６と嵌合せて水平に操作出来るようにした装置の構造。
【発明の詳細な説明】
【発明の詳細な説明】
【産業上の利用分野】
【０００１】この発明の処理箱１は内部を二つ部屋に使用出来るように発明したもので小物用に棚２を作りその床下に汚物入容器４を取付けた可動板３を潜らせ裏面にコマ５を取付たそのコマ５とレールを溝に嵌めて水平に稼働するようにした構造。
【背景技術】
【０００２】従来からよく見かげる新聞雑記の見
2005058727.tif 000003
にして中味も斜めにしているものが大半のようである。
従って容器の中味も斜めで六〜七割程度に用いているものが多い。
そこでこの発明は水平に稼働するようにしたものである。
また中に用いるビニール袋の押込み防止に強力フックを張り付けて防止するようにしてある。
【発明が解決しようとする課題】
【０００３】したがって処理箱１の構造を説明すれば上部にステレンス７を張り内部は小物入れ用に棚２を作りその床下に潜る可動板３の裏面にコマ５を取付けてある。潜らない所に汚物入容器４を着脱自由になるように掛金具８を設けてある。
また処理箱１の床板に二本のレール６を布設したそのレール６に上記のコマ５の溝を嵌めて可動板３を稼働させるものである。従って容器４を水平に操作されるようにてた構造である。
【課題を解決するための手段】
【０００４】いまその構造を説明すると汚物入容器４の回りを汚すことなく蓋を嵌めて水平に引き出されるので操作中の汚れは支障なく出来る、また汚物入容器４には中袋にビニール袋などを用いているが本考案は押込み防止する強力フックを用いているので効果大である。
【作用】
【０００５】次に本発明の作用を述べると、可動板３に取付けた汚物入容器４に汚物入れても水平に出し入れの出来るようにした装置である。
【実施例】
【０００６】なお可動板３に汚物入容器４を取付けてあるがこの外にも色々と使用できる便利な用い方もあるので効果大である
【発明の効果】
【０００７】だから汚物入容器４から周辺汚すことなくしかも水平に出し入れの出来る装置で安全なものを進めることのできる効果がある。
【図面の簡単な説明】
【図１】本説明の処理箱の斜視図
【図２】本発明の処理箱を流台に取付けた斜視図
【図３】本発明の処理箱の内部構造図
【符号の説明】
１は  処理箱
２は  小物用の棚
３は  可動板
４は  汚物入容器
５は  コマ
６は  レール
７は  ステレンス
８は  掛金具
【図１】
2005058727.tif 000004
【図２】
2005058727.tif 000005
【図３】
2005058727.tif 000006
(57)【要約】      （修正有）【課題】特養又は痴呆等の患者がベッドから離れると報知するケァーコールを提供する。【解決手段】洗濯バサミとケァーコルと合体して、患者様の衣類の襟、又は袖などに取り付ける。患者がベッドから離れようとすると外れて、ナスーステシヨンに鳴り渡り、看護婦が患者の所に行き、怪我などを防ぐことができる。【選択図】図３
2005058729.tif 000002
【特許請求の範囲】
〔１〕〔衣服に取付る事〕〔２〕〔ケアーコールに接続する事〕〔３〕〔配線は細い物、電話線〕〔４〕〔洗濯バサミ〕
【発明の詳細な説明】
【発明の詳細な説明】
〔以前は良く入所者、痴呆等の痛みを患った患者様がベットから落て打撲傷又は骨接等をして。他の総合病院等に搬送が忙しく。何とか良い方法が無いのかと考へ洗濯バサミ、ケァーコールを考へ。衣服に洗濯バサミを。
ハサめて動くと、離れる様にし。ケァーコールが、ナスーステションに鳴ると。ケァーワーカーの職員が駆け付け。大事に至ら無いので今は大変約に達って。ケァーワーカ職員友ゞ好評です。〕
〔特許文献は〕
〔洗濯バサミ。電話コード。ボルトナット。ヒラワッシヤ。ボンド。ケァーコムに取付する〕
【発明が解決しようとする課題】
〔患者様が良くベットから離れる瞬間が解明出来ます。〕
【発明の効果】
〔入所者に打撲傷又は骨接等が少なく成〕
〔介護士、ケァーワーカの職員の方ゞが、大変約に達って居るとの事。〕
2005058729.tif 000003
2005058729.tif 000004
【手続補正書】
【提出日】平成16年8月2日(2004.8.2)
【手続補正２】
【補正対象書類名】明細書
【補正対象項目名】全文
【補正方法】変更
【補正の内容】
【発明の詳細な説明】
【技術分野】
【０００１】「本発明は特養病等で患者様がベットから転倒して、骨折する為に考案しました」
【方法】
【０００２】「ベットに横になって居る入所患者様の襟又は袖などにハサムだけの事です」
【対象目的とする人】
【０００３】「特養居室痴呆等で入所患者の人達です」
【課題の効果】
【０００４】「以前に比べてはベットから離れて転倒骨折する」患者様が少なく成ました」
【図面の簡単な説明】
【０００５】
【図１】「本考案に係る洗濯バサミの付属部品工程図です」
【図２】「本考案に係る洗濯バサミの横面図です」
【図３】「本考案に係る洗濯バサミの先端を開いた所です」
【符号の説明】
１・・・洗濯バサミと付属品
２・・・電話線のコードを使用
３・・・使用しない時のハサミ板
４・・・ナットの頭
５・・・洗端のボルトとナット
６・・・ボルトの頭
【手続補正３】
【補正対象書類名】図面
【補正対象項目名】全図
【補正方法】変更
【補正の内容】
【図１】
2005058729.tif 000005
【図２】
2005058729.tif 000006
【図３】
2005058729.tif 000007
(57)【要約】      （修正有）【課題】坂道を登るとき、下半身のバランスが良くなり安定した歩行が出来る坂道専用踵を提供すること。【解決手段】坂道専用踵はウレタン１の台に磨耗止め用ゴム板２枚と接着し踵の前に止金３を後方には接着用金具４を取り付け三角形状の踵を靴の踵の前５を固定し、後ろに止め金６を固定した踵に道路専用の踵を装着することで取り付け完了となり大変便利である。【選択図】図５
2005058723.tif 000002
【特許請求の範囲】
【請求項１】
靴本体の踵に坂道専用の斜めにカットした前が薄く後ろを高くした三角形状の踵を取り付けた坂道専用取り付け踵。
【請求項２】
靴本体の踵の前後に坂道専用踵を取り付ける為の引き掛け金具を固定させて、その金具により靴の踵と坂道専用の踵を接続する請求項１記載の坂道専用取り付け踵。
【発明の詳細な説明】
【発明の詳細な説明】
［発明の属する技術分野］
【０００１】本発明は、坂道専用取り付け踵として、斜めにカットした三角形状の踵と靴本体の踵に取り付けることで具体的には１０度から２０度前後の傾斜した坂道でも平坦な道を歩くように安定した姿勢で歩行できる踵に関する。
［従来の技術］
【０００２】従来普通の靴を履いて傾斜した坂道の歩行は平坦な道路に比べ数倍の時間と体力を必要とするが、本発明の坂道専用取り付け踵は先を薄く後ろを高く傾斜した三角形状の踵は、例えば２０度傾斜した坂道に２０度の角度のある踵を取り付ければ、踵が道面に密着するので平坦な道を歩くように自然体で歩くことが出来るので足首やアキレス腱に負担が少なく長距離歩行も可能である。
従来の靴は品質や軽量及びデザイン等に色々改良されているが、本発明の坂道専用取り付け踵に関する実施例が無く画期的な発明である。
【０００３】    ［実用新案文献１］
例えば平２−１４９５０５参照も、滑り止め具を装着する事が特徴としているので本来の使用目的や用途が本発明の坂道専用取り付け踵と異なり比較出来ない。
【０００４】［特許文献］
例えば、公開平８−２０５９０８参照も、靴本体の踵に対し部品を自由に取り付けたり、取り外したり出来る滑り止め踵であって取り付けに関して多数の類似点があるものの本発明の坂道専用取り付け踵と大変異なるので比較対照できない。
【０００５】［参考文献１］
例えば著者  大塚文武  の履き心地暮らしの中の靴で参照も世界の靴の歴史１５０年や我が国の洋靴の誕生から現在に至るまでの変革の中においても本発明の坂道専用取り付け踵でカットされた踵や固定及び取り付け踵に関する類似品は存在しない。
［発明が解決しようとする課題］
【０００６】従来傾斜した坂道を登るときは体全体が前かがみになるので、体重の全てを爪先で支えることになるので長時間歩行すればアキレス腱や下腿三頭筋及び大腿四頭筋を酷使することになり筋肉疲労となって足腰を痛めることになるがしかし本発明の坂道専用踵を取り付ける事により平坦な道と同様に楽な姿勢で安定して歩行出来る。
［発明を解決する為の手段］
【０００７】  上記目的を達成する為、本発明の坂道専用取り付け踵は前を薄く後方を高くした三角形状の踵にしてこれを靴本体の踵に取り付けることで爪先にかかる体重の１部を後ろの踵で受け止める為足首やふくらはぎ又は大腿筋が緩和され疲れが軽く快適に歩行出来る。
［発明の実施の形態］
【０００８】  図１において坂道専用取り付け踵として、ウレタン１の台に磨耗止め用ゴム板２を接着し踵の前の中心に止め金３を固定し後方の高い部分に接続用金具４を取り付けた坂道専用取り付け踵である。この踵を普通の靴本体の踵に取り付けるため図４に固定した引っかけ金具５に止め金３を引っ掛けてとめた後で踵の止め金６に接続用金具４を合体することで取り付け完了となり簡単に取り外し出来る坂道専用取り付け踵である。
［発明の効果］
【０００９】  本発明の坂道専用取り付け踵は先を薄く後ろを高くカットした三角形状の踵で例えば２０度の坂道に２０度の角度ある踵を靴本体の踵に装着することで踵が坂道の道面に抵抗なく密着するので平坦な道路と変わらない姿勢で歩行出来る。
又、坂道を登るとき爪先に体重の全てを支えていたが本発明の坂道専用取り付け踵は斜めにカットしてあるので体重の一部を後ろの踵で受け止める為アキレス腱や大腿筋の強張が緩和され疲労度が少なく長時間の歩行も可能である。したがって山道や坂道の多い居住地区での生活の中で女性や子供、特に老人及び病弱な人で坂道に大変苦労されていた方々にも本発明の坂道専用取り付け踵を装着する事により今後日常生活における坂道に対する苦労も克服出来るので大変効果がある。
又、ハイキングや山歩きの愛好家で比較的坂道を苦手とされる人達にも  本発明の踵は地面にしっかりとグリップするので安定した歩行で長距離の坂道も可能で非常に効果が高い。
【図面の簡単な説明】
【図１】    坂道専用取り付け踵の斜視図である。
【図２】    坂道専用取り付け躍の断面図である。
【図３】    坂道専用取り付け踵の平面図である。
【図４】    靴裏の坂道専用取り付け踵の斜視図である。
【図５】    靴裏の坂道専用取り付け踵の断面図である。
【図６】    靴裏の坂道専用取り付け踵の平面図である。
【図７】    坂道専用取り付け金具の参考図である。
【図８】    坂道専用取り付け金具の参考図である。
【符号の説明】
１  ウレタン                            ５  止め金
２  ゴム板                              ６  止め金
３  引っ掛け金具                        ７  接続用金具
４  接続用金具                          ８  止め金
【図１】
2005058723.tif 000003
【図２】
2005058723.tif 000004
【図３】
2005058723.tif 000005
【図４】
2005058723.tif 000006
【図５】
2005058723.tif 000007
【図６】
2005058723.tif 000008
【図７】
2005058723.tif 000009
【図８】
2005058723.tif 000010
(57)【要約】      （修正有）【課題】湿潤な空気を吸えるようにすることで、風邪を防止し、息苦しくない風邪予防マスクの提供。【解決手段】従来のマスクより縦巾のせまいマスクで、鼻と口の間にかける。本マスクの布の間には、箱ポケットが取り付けてあり、その箱ポケットに水道水でぬらしたガーゼをたたんで入れる。就寝時に本マスクをかけて寝る。耳かけ用のゴム紐は輪になっており、どんな顔相の人にも適応出来る。【選択図】図１
2005058724.tif 000002
【特許請求の範囲】
【請求項１】
マスクの縦巾を、従来のマスクの縦巾よりせまくした風邪予防マスク。
【請求項２】
鼻と口の間にかける風邪予防マスク。
【請求項３】
マスク本体の布の間に箱ポケットを取り付けた風邪予防マスク。
【請求項４】
上記【請求項３】の箱ポケットは、箱ポケットの固定を助け、装着を容易にする為の添え具【図５】を箱ポケットの左右に付けた風邪予防マスク。
【請求項５】
該箱ポケットはマスク本体の布地より、１ｍｍ位上に出して取り付けた風邪予防マスク。
【請求項６】
該箱ポケットの生地は、水を通さない素材を使った風邪予防マスク。
【請求項７】
該箱ポケットに水を充分含ませたガーゼをたたんで入れて使用する風邪予防マスク。
【請求項８】
該マスクの耳かけ用ゴム紐は、マスクの左右の端の縦中央に取り付けられたハト目を通して取り付け、そのゴム紐のもう一方の端は耳かけ用の輪を形成した風邪予防マスク。
【発明の詳細な説明】
【発明の詳細な説明】
【技術分野】
【０００１】  本発明は、風邪予防を目的とした箱ポケット付マスクに関する。
【背景技術】
【０００２】  従来のマスクは、花粉症用と風邪疾患者用である。花粉症患者は、花粉の吸入を防ぎ、風邪疾患者は、風邪ウイルスの拡散を防ぐことが使用目的である。その為、装着時鼻・口をふさぐので息苦しい。
【発明が解決しようとする課題】
【０００３】「風邪ウイルスは、湿度が高くなると生存率が低くなる」（「さらばかぜ薬」歯科医臼田篤伸、三一新書、朝日新聞１９９９年２月１０日付一面参照）という点に着眼して、鼻と口の間にかける、ぬれガーゼが入れられる箱ポケット付のマスクの装着で湿潤な空気を吸えるようにした。
【課題を解決するための手段】
【０００４】  マスクの縦巾をせまくして、鼻と口の間にかけるようにした。該マスクの布の間に箱ポケットを取り付け、水を充分含んだガーゼを入れられるようにした。
耳かけ用のゴム紐は、該マスクの端左右に取り付けたハト目に取り付ける。もう一方のゴム紐の先は輪にする。耳にかける時、輪を成したゴム輪の結び目を上下に移動することで、どんな耳・鼻の位置関係にある人（顔相）でも装着出来るようにした。
【発明を実施するための最良の形態】
【０００５】鼻下で、湿潤な空気が吸える装置を付けたマスクである。
（イ）マスクの縦巾をせまくする。
（ロ）マスクの布の間に、水を通さない素材で作った箱ポケットを取り付ける。
（ハ）上記箱ポケットの左右に、箱ポケットの固定を助け、顔にフィットするように添え具を付ける。
（ニ）上記のマスクの左右両端の中央部に、それぞれハト目を付け、耳かけ用のゴムを通してハト目に取り付け、もう一方のゴム紐先は輪にする。
【実施例】
【０００６】  実施例について説明すると、マスクの縦巾は２ｃｍ位にする。箱ポケットは、左右に添え具を付ける。この箱ポケットをマスク本体の布の間に取り付ける。箱ポケットは、マスク本体の布地より１ｍｍ位上に出す。本体マスクの左右端中央にハト目を取り付ける。ハト目にゴム紐を取り付け、もう一方の端は輪を形成する。
【発明の効果】
【０００７】  本発明は、以上説明したような形態で実施され、以下に記載するような効果が得られる
【０００８】  乾燥期に本マスクの装着により、湿潤な空気が吸えるので、風邪予防が出来る。特に睡眠中は、免疫力が下がるので、風邪ウイルスの活動が活発になるが本マスクの箱ポケットのガーゼの湿度で風邪ウイルスの活動を抑えることが出来る。
【０００９】  鼻・口をふさがないので息苦しくない。
【００１０】  気管・気管支・肺によいといわれている鼻呼吸が身につきやすい。
【００１１】  本マスクを装着して寝ても、寝具がぬれない。
【図面の簡単な説明】
【図１】風邪予防マスクの斜視図である。
【図２】風邪予防マスクの斜視図である。
【図３】風邪予防マスクの箱ポケットの斜視図である。
【図４】風邪予防マスクの箱ポケットに入れるガーゼの斜視図である。
【図５】風邪予防マスクの箱ポケットの添え具の斜視図である。
【図６】耳と鼻の位置関係における、耳かけ用ゴム紐の使い方図である。
【図７】耳と鼻の位置関係における、耳かけ用ゴム紐の使い方図である。
【図８】耳・鼻の位置関係における、耳かけ用ゴム紐の使い方図である。
【符号の説明】
１、９、２３          マスク本体
２、１０、１７、２４  箱ポケット
３、１１、１８、１９、２１、２２  箱ポケット添え具
４、１２、２５        ハト目
５、１３、２６        耳かけ用ゴム紐
６、１４、２７        耳かけ用ゴム輪
７、８、１５、１６、２８、２９    結び目
２０                  ガーゼ
【図１】
2005058724.tif 000003
【図２】
2005058724.tif 000004
【図３】
2005058724.tif 000005
【図４】
2005058724.tif 000006
【図５】
2005058724.tif 000007
【図６】
2005058724.tif 000008
【図７】
2005058724.tif 000009
【図８】
2005058724.tif 000010
(57)【要約】  握り柄の部分で傘を簡単にぶらさげ置きが出来る。【課題】  従来の傘は柄の握り先端部に丸みがあるので不安定な為にカウンター等にぶらさげ置きが出来なかった。【解決手段】  柄の先端部の丸みを取り平面にする事でこの問題を解決出来る。【選択図】  図１と図２
2005058705.tif 000002
【特許請求の範囲】
【請求項１】
握り先端部を平面にした傘の柄
【発明の詳細な説明】
【発明の詳細な説明】
この発明は傘に取り付ける柄の握り部の先端を平面にしたものである。
従来の柄の先端部は丸みをつけてあるので事務所、お店、ＡＴＭコーナー、切符売り場等のコーナー、カウンターへ一時的にぶらさげ置こうとしても不安定で出来なかった。
本発明は簡単な方法でこのぶらさげ置きを可能にした。
以下にこれを説明すると、
（イ）傘の柄（１）の先端部（２）を平面にする。
こうすれば、
（ロ）この柄を取り付けた傘をカウンター等（３）へ簡単にぶらさげ置き。
が出来る。
【図面の簡単な説明】
【図１】本発明柄を斜め上から見た図
【図２】本発明柄を取り付けた傘をカウンター等でぶらさげ置いた図
【符号の説明】
１は傘の柄      ２は柄の先端部      ３は傘を置いた場所
【図１】
2005058705.tif 000003
【図２】
2005058705.tif 000004
(57)【要約】【課題】  従来のヘアカーラーは固いので，巻いたまま寝ると痛いし，また，はずれやすい。そこで，つけたまま寝ても痛くないもの，はずれにくいものを提供するものである。【解決手段】  筒状の布袋に，柔軟材を入れて両端を閉じ，いずれか一方にゴム紐体を取り付けたことを特徴とする。【選択図】  図１
2005058702.tif 000002
【特許請求の範囲】
【請求項１】
１．筒状となる布袋に綿乃至スポンジ、発砲スチロール等の柔軟性のある素材を入れて両端を閉じ，左右いずれか一端に髪止めの手段として、ゴム等の紐体を二つ折にして取り付けたことを特徴とするヘアカーラー。
２．太さの異なるほぼ同長の綿乃至スポンジ、発砲スチロール等の柔軟性のある素材を入れて，両端を閉じた筒状の布袋を直列に連結すると共に、連結部または筒体の一端（連結側）に髪止め手段として紐体を二つ折にして取り付けたことを特徴とするヘアカーラー。
【発明の詳細な説明】
【発明の詳細な説明】
【技術分野】
【０００１】ヘアカーラーに関する。
【背景技術】
【０００２】１．従来のプラスチック製のものや金属でできているものは、手触りや髪を巻いた感覚が固いのでつけたまま寝ると痛い。
２．筒状のヘアカーラーに髪を巻いた後ピンで止め付けたり、別な止め具で止めつけなければならないので不便であるし、活動時に、はずれ易い。
３．止め具と筒状本体をセットで使用しなければならないものは、止め具あるいは本体のいずれかが壊れたり紛失したときなどは、使用不可となり不便である。
４．作ろうとする好みのカールの大きさや髪の長短に合わせ，太いヘアカーラーと、細いヘアカーラーを用意しなければならないので不便である。
【発明が解決しようとする課題】
【０００３】１．ヘアカーラーに、より柔軟性を持たせて付けたまま寝ても痛くないものを得ようとするものである。
２．  太いヘアカーラーと細いヘアカーラーを連結する事により，
（１）大きいカール
（２）小さいカール
（３）太いカーラーと細いカーラーを合わせてより大きいふんわりしたカールが作れるもの
を得ようとするものである。
３．ヘアカーラーを付けたままで活動しているときや，巻いたまま寝ているときにも外れにくいものを得ようとするものである。
４．より短時間で椅麗なカールができるものを得ようとするものである・
【課題を解決するための手段】
【０００４】（シングル型）
筒状となる布袋に綿乃至スポンジ、発砲スチロール等を入れ両端を閉じ左右いずれか一方に髪止めの手段として、紐体を二つ折りにして取り付ける。
（ダブル型）
太さの異なるほぼ同長の綿乃至スポンジ、発砲スチロール等を入れ両端を閉じた筒状布袋を直列に連結すると共に、連結部の中央あるいは連結側であるところの筒状布袋の一端に髪止め手段として紐体を二つ折りにして取り付ける。
【発明を実施するための最良の形態】
【０００５】筒状部には，炭，トルマリン等の脱臭効果を有するものを封入することができる。
（シングル型）
綿乃至スポンジ、発泡スチロールを長方形の布袋に入れ，かつ，使用時に本体の筒状のヘアカーラーが適度な柔軟さを持ち折り曲がらないようにした。両端は閉じる。本体の筒状部の左右いずれかの一端に髪止めの手段としてのゴム紐体を二つ折りにして取り付けた。
（ダブル型）
太さの異なるほぼ同長の綿乃至スポンジ，発砲スチロール等を入れて両端を閉じた筒状布袋を直列に連結すると共に、連結部の中央あるいは連結側であるところの筒状布袋の一端に髪止め手段として紐体を二つ折りにして取り付ける。
【作用】
【０００６】１．本体のカーラーを柔軟性と弾力性を持たせたことにより頭への当たりが柔かになり付けたまま寝ても痛くなくなった。
２．ダブル型は、太いヘアカーラーと細いヘアカーラーを連結する事により，▲１▼大きいカーラー▲２▼小さいカーラー▲３▼太いカーラーと細いカーラーを合わせてより大きいカーラーとして使用出来るようになった。
３．止め具としてゴム紐を付けたことにより、ヘアカーラーを付けたままで活動しているときや、巻いたまま寝ているときにも外れにくくなった。
４．本体の筒状部とゴム紐による弾力性と押圧により、短時間にきれいなカールが仕上がるようになった。
５．筒状部には，炭，トルマリン等の脱臭効果のあるものを封入させることができる。
【使用方法】
【０００７】  図３のＡのシングル型は、本体の筒状部に髪を巻き付け、ゴム紐の止め具ではずれないように巻き付ける。
Ｂのダブル型は、髪の長さ、或いは好みのカールの強さにより、太い筒状部または細い筒状部のいずれかに髪を巻き付け、他方で巻いた髪を挟むようして巻き付け上からゴム紐の止め具で止め付ける。
Ｃは、太いヘアカーラーと細いヘアカーラーを合わせてその上から髪を巻く。１本で巻いたものより２本合わせたことにより，いっそう太いカーラーとして巻ける。
【発明の効果】
【０００８】１．ヘアカーラーに、より柔軟性と弾力性を持たせたことにより頭への当たりが柔らかになり付けたまま寝ても痛くなくなった。
２．ダブル型は、太いヘアカーラーと細いヘアカーラーを連結する事により、
（１）大きいカール
（２）小さいカール
（３）太いカーラーと細いカーラーを合わせてより大きいふんわりしたカールが作れるようになった。
３．止め具としてゴム紐を付けたことにより、ヘアカーラーを付けたままで活動しているときや，巻いたまま寝ているときにも外れにくくなった。
４．筒状本体がふわふわとした弾力性のある素材で出来ていることと、止め具のゴム紐による押圧により短時間にきれいなカールが仕上がるようになった。
５．ピンやスナップを使わないゴム紐止めなので付け外しが簡単になった。
６．筒状部に，炭，トルマリン等を封入すれば，髪の脱臭効果が期待できる。
７．カーラーに髪を巻いて，その上からゴム紐の止め具で止めつけるので，従来のカーラーよりも，より多くの髪を巻きつけられるようになった。
【図面の簡単な説明】
【図１】筒状本体シングルのヘアカーラー
【図２】Ａ  太さの異なる筒状本体を直列に連結したところの図。Ｂ  太さの異なる筒状本体の弾力性素材の入っていない一端を繋ぎ折り曲げたところの図。
【図３】Ａ  シングルの巻きかた  Ｂ  ダブルの巻きかた  細いカーラーまたは太いカーラーを選んでの巻き方  Ｃ  細いカーラーと太いカーラーを合わせたより太いカーラーとしての巻き方
【図４】本体に巻いて紐体で止め付けたところの拡大図
【符号の説明】
１  本体筒状布袋
２  ゴム紐
３  縫い縮め部
４  紐体挿入部
５  太い筒状布袋
６  細い筒状布袋
７  連結部
【図１】
2005058702.tif 000003
【図２】
2005058702.tif 000004
【図３】
2005058702.tif 000005
【図４】
2005058702.tif 000006
(57)【要約】［課題］    トイレの度に、幾ら丁寧に拭ってもブリーフが汚れる。痔で出血する時などには特に酷い。そこで、私は、もう一年以上も、ブリーフにナプキンを張って対応している。これを専用のものに開発したい。［解決手段］    ブリーフやパンティーなどにお尻の汚れや痔に因る出血などが付着しないように、それらの内側に張って使用する、綿やレーヨンや紙など製の、ＣｌｅａｎｒｙＰａｄまたはＣｌｅａｎｒｙＮａｐｋｉｎと呼ぶことにする、密着型下半身用肌着用清潔用内張。【選択図】    なし。【特許請求の範囲】
【請求項１】
ブリーフやパンティーなどにお尻の汚れや痔による出血などが付着しないように、それらの内側に張って使用する、綿やレーヨンや紙など製の、ＣｌｅａｎｒｙＰａｄまたはＣｌｅａｎｒｙＮａｐｋｉｎと呼ぶことにする、密着型下半身用肌着用清潔用内張。
【発明の詳細な説明】
【発明の詳細な説明】
私は、電波に因るらしいのであるが、肛門から殆ど毎日のように出血して困っている。もう３０年以上にも亘る。一時は、所謂痔疾で、酷く腫れたりして困ったが、現在は、それは治まって出血だけと言う状態である。
そう言う酷い時や粘便の時などにペーパーで何回も拭う必要があるが、そうすれば、肛門が酷く傷んで痛い思いをしなくてはならない。そこで、紙を水に湿らせて拭うことを思い付き、別途特許出願することにした「ウェットトイレットペーパー」を発明し、富士市の丸富製紙の佐野広彦社長に提案した。しかし、未だ以て返事を戴けないでいる。電波に乗って、私の経済的な安定と発展を妨害して、私の培って来た信用ある生き方が政治勢力化しないように、自己の恥を曝け出してまでも，こう言う発明の文章化や事業化を露骨に妨害迫害している。そのため、郵便物までちょろまかすので、或いは郵便業務の過程のどこかで盗まれているのかも知れない。
不思議なもので、そのウェットペーパーで丁寧に拭いて見ても尚ブリーフが汚れる。そこで、私は、サニタリーナプキンを張ってもう一年以上もブリーフの汚れを防いでいる。しかし、メンス用は、概して形が小さくて狭い。
そこで、私の目的にぴったりの専用のパッドを開発したい。本発明を出願して登録し、今度は、安心して、どなたか適当なメーカーにＯＥＭで以て製造をお願いし、私の商標で以て販売したい。
私のような、清潔好きな人たちが、世界中には老若男女合わせれば、１億人も２億人もあるに違いない。
「Ｍ．ＮａｇａｉＣｌｅａｎｒｙＰａｄ」などとして、世界の、少しでも心を正しく健全に保ち生活の向上を自主的に目指す人々に広く末長く愛用して貰い、そのお返しに、その膨大な人たちの生産物を本発明の製造販売に当たってくれる世界中の従業者と共に互恵的にいつ迄も愛用させて貰いたいと願っている。
【手続補正書】
【提出日】平成15年12月16日(2003.12.16)
【手続補正１】
【補正対象書類名】特許請求の範囲
【補正対象項目名】全文
【補正方法】変更
【補正の内容】
【特許請求の範囲】
【請求項１】
ブリーフやパンティーなどにお尻の汚れや痔による出血などが付着しないように、それらの内側に張って使用する、綿やレーヨンや紙など製の、ＣｌｅａｎｒｙＰａｄと呼ぶことにする、密着型下半身肌着用清潔内張。
【請求項２】
「請求項１」における「クリンリーパッド」を拡張したもので、ブリーフやパンティーなどに尿や下り物や経血なども付着しないように、それらの内側に張って使用する、綿やレーヨンや紙など製の、ＣｌｅａｎｒｙＮａｐｋｉｎと呼ぶことにする、密着型下半身肌着用清潔内張。
(57)【要約】【課題】この発明は、菜箸やターナーの不備な部分を改善する事を目的とする。【解決手段】柄（１）の先端部分に曲げて角度を変えた数本の板のようなものを取り付けることにより解決しようとするものである。【選択図】図１
2005058708.tif 000002
【特許請求の範囲】
【請求項１】
柄（１）の先端に曲がった数本の板の様な物（３）（４）を取り付けたターナー
【請求項２】
【請求項１】
の曲がった数本の板の様な物（３）（４）はグリルの焼き網を通る間隔が有り、又鍋の中の煮物や煮魚を取り出せる為の薄さが有る。
【発明の詳細な説明】
【技術分野】
【０００１】本発明は、菜箸やターナーの不備な点を改良したものである。
【背景技術】
【０００２】菜箸を用いて焼き魚や焼鳥等を焼き網から取るときには、菜箸は二本のためとても取りずらく、魚の皮が網に引っ付き見た目の綺麗さがなくなってしまう。【０００３】鍋から煮魚を取る際は菜箸を用いた時やターナーを用いても角度があるため、煮魚を傷つけやすい。【０００４】菜箸やターナーでは、焼きソバや麺等をフライパンや鍋から盛り付ける際、すべりやすく、取りずらい。【０００５】揚げ物をする際トンカツ等の大きく重い肉類は菜箸では上手く裏返ししずらく、取りにくい。
【発明の開示】
【発明が解決しようとする課題】
【０００６】焼き魚を簡単に焼き網から取れるようにする。【０００７】煮魚を傷つけず、鍋から簡単に取れるようにする。【０００８】焼きソバ等の麺類を簡単に取るようにする。【０００９】揚げ物等も簡単にすくうことができるようにする。
【課題を解決するための手段】
【００１０】この発明は先端に曲げて角度を変えた数本の板の様なものを付けたターナーで解決することを、目的とする。
【発明の効果】
【００１１】本発明の万能菜箸ターナーは、焼き魚を焼き網から簡単にはがす。【００１２】鍋の煮魚を傷つける事無く取る。【００１３】やきそばやスパゲッティー等の麺類をすくったりする機能がある。【００１４】天ぷらやフライ等の揚げも物を簡単にすくい上げる際にも利用できる。【００１５】フライパンを用いてソース等の液状の物を具と混ぜ合わせる際にフライパンからソースをこぼさずに調理しやすい。
【発明を実施するための最良の形態】
【００１６】柄（１）の先端に曲げて角度を変えた数本の板の様なものが（３）（４）、焼き網の中に入る間隔を備えたもの。（３）と（４）の間と、（４）の部分の数本の板のようなものをそれぞれ補強の板で固定すると強度が増してよい。
【実施例】
【００１７】これを実施例として、焼き魚を簡単に焼き網から取る方法を説明すれば、焼き網の中に曲げて角度を変えた数本の板のようなもの（３）（４）を焼き網の間に差し込み焼き魚を取り上げる。
また、煮魚を鍋から取り出すことを説明すれば、曲げて角度を変えた数本の板のようなもの（３）（４）を鍋と煮魚の間に差し込み、すくい上げる。
また、麺類の取り方を説明すれば、曲げて角度変えた数本の板のようなもの（３）（４）を麺類に差し込み（４）（２）の部分に麺をのせすくい上げる。
【図面の簡単な説明】
【００１８】
【図１】本発明の平面図
【図２】本発明の側面図
【図３】本発明の正面図
【符号の説明】
【００１９】１  柄
２  （４）と（１）の間の部分で（１）より角度を曲げてありまた広がっている
３  （４）の角度を変えたもの
４  （３）の先にある数本の板のようなもののはじまりの部分
【図１】
2005058708.tif 000003
【図２】
2005058708.tif 000004
【図３】
2005058708.tif 000005
【手続補正書】
【提出日】平成15年10月30日(2003.10.30)
【手続補正１】
【補正対象書類名】特許請求の範囲
【補正対象項目名】全文
【補正方法】変更
【補正の内容】
【特許請求の範囲】
【請求項１】
図の（１）柄の先端に曲がった数本の板の様な物、図の（３）（４）を取り付けたターナー
【請求項２】
図の（３）（４）はグリルの焼き網を通る間隔が有り、又鍋の中の煮物や煮魚を取り出せる為の薄さが有る。
(57)【要約】医療類似行為として、人間同様の整体、カイロプラクティックの施術を犬や猫などの脊椎動物に対し開発された施術。【課題】犬や猫など、脊椎動物に対する怪我の予防、ストレス発散、リラクスゼーション効果、健康増進などをはかるためのもの。【解決の手段】触診によるペット（犬や猫などの脊椎動物）の骨格の歪み、筋肉、関節の硬さの理解。【選択図】図１
2005058739.tif 000002
【特許請求の範囲】
【請求項１】
ペットとして飼われている犬や猫の脊椎動物にも人間と同じく、経絡（ツボ）は存在する。その経絡（ツボ）へ指圧、マッサージなどの施術を行う。
【請求項２】
骨格、関節においては歪みの調整をカイロプラクティックなどによる施術を行う。
【発明の詳細な説明】
【技術分野】
【０００１】本発明はペットとしてかわれている犬や、猫などの脊椎動物治療類似行為に関する。
【背景技術】
【０００２】従来ペットは怪我をして初めて獣医での治療をうけるが、本発明は怪我の予防、健康増進などを事前に行う手法である。【０００３】以下、図１は犬の骨格、経絡（ツボ）を示したものである。
【特許文献１】無
【非特許文献１】ナショナル整体秋葉原校の問診表による人体骨格図。
【発明の開示】
【発明が解決しようとする課題】
【０００４】触診による経絡（ツボ）、筋肉、骨格、関節の理解
【課題を解決するための手段】
【０００５】経絡（ツボ）への指圧、マッサージ
骨格へ手技により調整
関節への可動運動
【発明の効果】
【０００６】経絡（ツボ）、筋肉への施術による熟睡、リラクスゼーション効果あり。
自然治癒力を高める効果あり。
【発明を実施するための最良の形態】
【０００７】触診、施術。
【実施例１】
【０００８】解剖による構造の理解。【０００９】経絡への施術による臨床実験【００１０】骨格への手技による臨床実験【００１１】関節への可動運動による臨床実験
【産業上の利用可能性】
【００１２】ペット産業への実用性
【図面の簡単な説明】
【００１３】
【図１】犬の骨格を示した真横図である。
【符号の説明】
【００１４】１、人間でいう頚椎
２、人間でいう胸椎
３、人間でいう腰椎
４、人間でいう関節
５、人間でいう骨
【図１】
2005058739.tif 000003
(57)【要約】【課題】人が座る際に、お尻の左右高い部分を空中に支えられて、通気性と座りごこちが良くなる。また、女性がうつ伏せる際に、両乳房を空中に支えられて、圧迫感と変形をなくして、楽な姿勢を保つことができるクッションを提供する。【解決手段】中に、二つの穴、あるいは二つの凹みを設けているクッションを提供する。女性の乳房を楽に挿入できるために、ブラジャの寸法を参考して、Ｓ、Ｍ、Ｌ、ＬＬ等のサイズに分けて、作るほうが好ましい。また、お尻と乳房をしっかり支えるために、適度な厚さを有する事も好ましい。【選択図】図１
2005058711.tif 000002
【特許請求の範囲】
【請求項１】
（１）座る際と女性がうつ伏せる際に使う、中に、二つの穴を設けているクッション。
（２）女性の乳房を楽に挿入できるために、穴の大きさ及び穴の間の距離は、ブラジャの寸法を参考して、Ｓ、Ｍ、Ｌ、ＬＬ等のサイズに分けて、作るほうが好ましい。
（３）お尻と乳房をしっかり支えるために、適度な厚さを有する事も好ましい。
【請求項２】
請求項１において、二つの穴の変わりに、二つの凹み状になったクッション。
【発明の詳細な説明】
【技術分野】
【０００１】  この発明は人が座る際に、お尻の右左高い部分を空中に支えられて、通気性と座りこごちが良くなる。また、女性がうつ伏せになる際に、両乳房を空中に支えられて、楽な姿勢を保つためのクッションに関する。【０００２】  従来、クッションの形状は四角形や丸形とリング形に分かれる。【０００３】  また、人間は疲れる際に、あるいはエステ、整体院、病院における背中、腰、ふくらはぎ、足の裏等の物理療法、マッサージ等をするときに、良くうつ伏せるので、女性なら、乳房が直接ベッド等に圧迫されて、変形して、不快感があり、特に、乳房の病気に悩まされている人には、深刻な問題になり、この問題を解決する為のクッションがまだない。
【発明の開示】
【本発明が解決しようとする課題】
【０００４】  従来の四角形と丸形のクッションは通気性が良くない、長時間座る際、お尻の左右高い部分は一番圧迫されて、痛みがする。リング状のクッションは通気性が良いが、座る際に、お尻の大部分が落ち込みになり、不快感がある。
【０００５】  本発明は人が座る際に、お尻の左右高い部分を空中に支えられて、通気性と座りごこちが良くなる。
【０００６】  また、女性がうつ伏せる際に、両乳房を空中に支えられて、圧迫感と変形をなくして、楽な姿勢を保つことができるクッションを提供しようとするものである。
【課題を解決するための手段】
【０００７】  課題を解決するために、中に、二つの穴、あるいは二つの凹みを設けているクッションを提供する。女性の乳房を楽に挿入できるために、ブラジャの寸法を参考して、Ｓ、Ｍ、Ｌ、ＬＬ等のサイズに分けて作るほうが好ましい。また、お尻と乳房をしっかり支えるために、適度な厚さを有することも好ましい。
【発明の効果】
【０００８】  従って、図４に示すように、座る際に、通気性が良く、お尻の左右高い部分６は穴２の中に入り、空中に支えられて、圧迫感がなくなる。
【０００９】  また、図５に示すように、女性がうつ伏せる際に、乳房７が穴２の中に入り、空中に支えられて、圧迫されない、変形もしないので、不快感がなくなって、リラクス感が出てくる。このクッションは乳房の病気に悩まされている人にとって、福音でもある。
【００１０】  クッションの生地は木綿類、化繊類、レザー等に限らず、合成樹脂、ゴムで形成され、空気、水などを入れる形も結構である。
【００１１】  このクッションの用途は家庭用のみだけではなく、例えば、エステ、整体院、病院で、背中や、腰、ふくらはぎ、足の裏などの物理療法、マッサージ等をする際に、使うのに最適である。
【００１２】  このクッションは女性に限らず、男性の人が使っても、胸のリラクス感もある。
【００１３】  この発明は座布団と枕にも適用する。
【発明を実施する為の最良の形態】
【００１４】  二つの円筒形の穴２、２を設けた、正四角形のクッション１は本発明を実施するための最良形態である。以下の
【実施例１】で説明する。
【実施例１】
【００１５】  図１は
【実施例１】の斜視図、図２は
【実施例１】の平面図、図３は
【実施例１】の要部断面図である。【００１６】  図１から図３までに示すように、クッション１の平面が正四角形をしており、その一辺の長さＬが約４５ｃｍに設定されている。【００１７】  クッション１全体の高さＨは約８ｃｍに設定されている。【００１８】  クッション１では、中に、左右対称的に、垂直方向へ向けて、直径Ｄが約１４ｃｍの二つの穴２、２を設けられている。【００１９】  穴２，２の間の距離Ｓが約７ｃｍである。【００２０】  以上のような、女性の乳房を楽に挿入できる広さと距離を特徴として、作ったクッション１は図４に示すように、座る際に人のお尻の左右高い部分６はちょうど穴２の中に入り、空中に支えられて、通気性と座りごこちが良くなる。
【図面の簡単な説明】
【００２１】
【図１】  本発明の
【実施例１】の斜視図である。
【図２】
本発明の
【実施例１】の平面図である。
【図３】
本発明の
【実施例１】の断面図である。
【図４】
本発明の人が座る際の作用を示す要部断面図である。
【図５】
本発明の女性がうつ伏せる際の作用を示す要部断面図である。
【符号の説明】
１  クッション１
２  穴
３  クッション材
４  表皮材
５  お尻
６  お尻の高い部分
７  乳房
Ｌ  クッション１の一辺の長さ
Ｈ  クッション１の高さ
Ｄ  穴２の直径
Ｓ  穴２、２の間の距離
【図１】
2005058711.tif 000003
【図２】
2005058711.tif 000004
【図３】
2005058711.tif 000005
【図４】
2005058711.tif 000006
【図５】
2005058711.tif 000007
(57)【要約】【課題】  本発明は、テニス競技を楽しむ愛好家のために考案開発した新アイデアの便利用具である。  本発明は、簡便かつ手軽に使用でき、レフリーやスコアラーが不在でも、競技の正しいルールの実践を助けることを目的とする。【解決手段】【構成】本発明の目的を果たすために「請求項１」および「請求項２」に示す構成を基本として、付加価値を高める工夫をプラスした。【選択図】図１
2005058715.tif 000002
【特許請求の範囲】
【請求項１】
本発明の斜視図、図１に示すようにソロバン珠を用い、各枠内のそろばん珠の位置を、動かせるようにした構造。
【請求項２】
本発明の斜視図、図１に示すように、動かしたソロバン珠の端が、設けられた摩擦素材に接して、固定するようにした構造。
【発明の詳細な説明】
【技術分野】
【０００１】  この発明は、テニスの試合もしくは練習時等に用いる用具として、考案されたものである。
【背景技術】
【０００２】  従来、公式に行われるテニス競技では、主審と線審がジャッジをおこない、その判定に従ってスコアラーが競技の経過を記録して、ポジションやサーブの交代、デュースやアドバンテージ、ワンゲーム終了後の勝ち負けの判定、攻守の交代やチェンジコートなどが、競技規則に従って正しく行われているかについてのチェックが可能であった。また、競技の判定に責任をもつ主審が、記憶違いなどで判定を誤った場合でも、正しい記録があれば、正しく是正することも可能であった。
【発明の開示】
【発明が解決しようとする課題】
【０００３】  しかしながら、テニス競技は、硬式と軟式を合わせても、公式なテニス競技として行われるテニスマッチよりも、気軽にコートに集まって、仲間同士でマッチを楽しんだり、練習で技能を磨いたりするプレイの機会のほうが遥かに多い。もちろん、正式なレフリーもスコアラーもいないであろう。でも、遊びにしろ、練習にしろ、気楽にプレイを続行しても、プレイの経過を覚えておくか、メモ的に記録しておかないと、けじめのあるプレイが出来ない。それは、テニスを楽しむ多くの人々にとっては、満足できない残念な仕儀になるのではないだろうか。
そこで、本発明の用具を用いれば、そろばん珠をセットするだけの簡単な動作で、スコアを記録することが出来、プレイを終了するまで、メモリーとして残すことも可能。さらに、そのメモリーの意味も判読することが出来るような用具を開発して、これをテニス用具の一種として、普及することを考えた。
【課題を解決するための手段】
【０００４】  課題を解決するための第一の発明は、前記の請求項１の構造の工夫から、記録に相当するデータのインプットを、そろばん珠の位置づけによって記録することを出来るようにしたことです。つまり、面倒な筆記具代わりに、そろばん珠の位置を適宜ずらすという簡便な動作で、プレイ中でも、必要なスコアをすばやく入力出来るようにしたことです。
さらに課題を解決するための第二の発明は、前記の請求項２の構造の工夫から、一度入力したスコアのデータは、ご破算にしない限り、そろばん珠の端が、摩擦素材に接して固定するようなっているので、プレイ中に携えていても、インプットしたデータが、消失することがないからです。
また、本発明の用具を裏返して見ることにより、インプットしたデータを、その他の情報の視点から判読することも出来るので、競技の評価や分析が多角的に出来る利点もあります。
【実施例】
【０００５】  以下に、最も頻繁に行われている硬式テニスのダブルス練習マッチを例にとり、本発明が有用に役立つ実施例を述べる。
ダブルスマッチでは、１セットが終わるまで、サーバーの順序、レシーバーのサイドを変えることはできない。
第１ゲームでは、ゲーム終了後、サービスとエンドを交替する。
第２ゲームでは、ゲーム終了後、サービスを交替する。
第３ゲームでは、ゲーム終了後、サービスとエンドを交替する。
第４ゲームでは、ゲーム終了後、サービスを交替する。
そして第５ゲーム以降は第１〜４ゲームの繰り返しになる。
練習ゲームとはいえ、定められたルール通りにサービスやエンドを交替するのが、正しい練習になる。しかし、公式なレフリーやスコアラーなしにプレイを繰り返すので、対戦するプレーヤーは、ゲームが終わるたびごとに、次ぎは何を交替したらよいか、迷う場合が出てくる。
したがってこのようなときに、本発明の用具を使って、１ゲームの終了時ごとに、何をどのように交替したかを、メモリーしておけば、ゲームの続行に支障や混乱をきたす恐れがなくなる。
なおメモリーを残す方法は、本発明の「特許請求の範囲」にある通り「請求項１」に示すようにソロバン珠を用い、各枠内のそろばん珠の位置を、動かせるようにした構造。「請求項２」に示すように、動かしたソロバン珠の端が、設けられた摩擦素材に接して、固定するようにした構造によるもので、１ゲームを終えるごとに、プレイヤーのどちらかがゲーム中に携えた本発明の用具のそろばん珠を、所定の位置にセットするだけで良い。
また、非公式な練習ゲー厶だからこそ、プレーの途中でタイムをかけたり、水を飲んだり、トイレに行ったり、気軽にゲー厶を中断することも出来る。そのようなときに、あらためてゲームを再開する場合も、本発明のメモリーを判読することで、次のプレーの正しい続行が可能となる。
なお、本発明の用具では、片面に１、４，５ゲーム、その裏面に２，３，６ゲームのカウントを、ソロバン珠のセットにより、メモリーすることが出来る。なおそのメモリー情報は、表裏いずれから見ても整合的に判読出来る仕組みになっている。
【実施の効果】
【０００６】  前記の実施例でも判る通り、本発明を製品化したものは、サイズはコンパクトで軽量なので、運動着のボケットに収めたり、紐をつけて首にかけたりしても、競技の邪魔にならない。また、軽量小型ながら、堅牢な材質を選んで作成することが出来るので、構造や品質の保持がしやすく、本発明に具備した機能や性能をよく発揮する。これにより、テニス用具の新しいアイデアの製品の一つとして、テニス競技の充実と発展に有効に寄与するものと考える。
【図面の簡単な説明】
【０００７】
【図１】  本発明の使用前、すなわち、そろばん珠がご破算状態になっているときの、本発明の斜視図である。
【図２】  本発明の使用前、すなわち、そろばん珠がご破算状態になっているときの、本発明の俯瞰平面図である。
【図３】  本発明の使用後、すなわち［実施例］［０００５］で紹介したように、本発明は、片面に１、４，５ゲーム、その裏面に２，３，６ゲームのカウントを、ソロバン珠のセットにより、メモリーすることが出来る。なおそのメモリー情報は、表裏いずれから見ても整合的に判読出来る仕組みになっている。その一例を本図で図示する。
【符号の説明】
【０００８】１  本発明の本体を構成する枠組み
２  そろばん珠に類似した形状のスコアラー
３  セットしたそろばん珠を固定するための摩擦素材
４  そろばん珠の滑り棒
５  縦横の間仕切り枠
６  携行用の紐などを通す穴
【図１】
2005058715.tif 000003
【図２】
2005058715.tif 000004
【図３】
2005058715.tif 000005